(57)【特許請求の範囲】
【請求項１】
持ち手と、この持ち手に対して可動となるような取付構造によって前記持ち手に取り付けられた刃アッセンブリー（２;２２;５２）とを備えた安全かみそりにおいて、
前記取付構造は、互いに分離した位置で刃アッセンブリー（２;２２;５２）を支持するように配置された複数のばね懸架装置（８;２８;６８;７０）を備え、
これらのばね懸架装置の配置は、前記刃アッセンブリーが、（i）延長方向軸回りの回動、（ii）横断方向軸回りの回動、並びに（iii）前記延長方向軸および横断方向軸によって定められる平面に対して略垂直な下方への並進運動を含む数度の自由度をもって持ち手に対して可動となるようになされており、
２つの分離した支持位置が互いに前記刃アッセンブリーの延長方向に離され、もう１つの分離した支持位置が、前記２つの分離した支持位置同士をつなぐ軸線から横断方向に離されている、ことを特徴とする安全かみそり。
【請求項２】
前記ばね懸架装置が前記刃アッセンブリーを休止位置に向かって付勢しており、前記カートリッジは、前記休止位置から、前記（i）ないし（iii）の動き、またはこれらの動きの組合せのいずれかに関しても可動となっている、請求の範囲第１項記載の安全かみそり。
【請求項３】
４つのばね懸架装置（８;２８;６８;７０）が、互いに相対した一組ずつに分けて配置されている、請求の範囲第１項または第２項記載の安全かみそり。
【請求項４】
前記支持位置は、前記刃アッセンブリーにおけるフレームの各角部の近傍である、請求の範囲第３項記載の安全かみそり。
【請求項５】
前記懸架装置は複数のばね部材（８;２８）を有する、請求の範囲第１項ないし第４項のいずれかに記載の安全かみそり。
【請求項６】
前記ばね部材は弓形ばね（２８）である、請求の範囲第５項記載の安全かみそり。
【請求項７】
前記ばね部材は捻りばね（８）である、請求の範囲第５項記載の安全かみそり。
【請求項８】
前記懸架装置は、前記刃アッセンブリー（５２）に対して回動自在に連結された複数の支柱（６８）と、これらの支柱と同軸の圧縮ばね（７０）とを備えている、請求の範囲第１項ないし第４項のいずれかに記載の安全かみそり。
【請求項９】
前記懸架装置は、刃アッセンブリーのフレーム（６;５６）に対して直接連結されている、請求の範囲第１項ないし第８項のいずれかに記載の安全かみそり。
【発明の詳細な説明】
本発明は、安全かみそりに係り、特に、持ち手と、この持ち手に対して可動となるような取付構造によって前記持ち手に取り付けられた刃アッセンブリーとを備えた形式の安全かみそりに関する。ここで述べる本発明の実施形態においては、刃アッセンブリーは、ガード部とキャップ面との間に位置し鋭い縁部を有する少なくとも１つの延長刃と、この（これらの）刃を支持するフレームとを含んでいる。しかしながら、本発明は、延長刃というよりは鋭い縁部を有する有孔金属薄片を備えたかみそりに対しても適用可能である。
ひげ剃り中の肌の表面と肌接触部分とが適合した状態を保つような刃アッセンブリーの動きを許容できるように、刃アッセンブリーを持ち手に取り付けるための様々な提案がなされてきている。例えば、現在市販されている多くのかみそりは、延長方向軸回りに回動可能な刃アッセンブリーを有している。我々の先行特出願ＧＢ−Ａ−２１１６４７０号においては、刃アッセンブリーが横断方向軸回りにも回動可能となったかみそりが記述されている。しかしながら、公知の構造によれば、刃アッセンブリーが肌の輪郭に追従する能力は、持ち手に対する刃アッセンブリーの許容動作の限定された自由度によって、制限されている。
本発明によれば、冒頭に述べたような安全かみそりにおいて、互いに分離した位置で上記刃アッセンブリーを支持するように配置された複数のばね懸念装置を備え、これらのばね懸架装置の配置は、上記刃アッセンブリーが、延長方向軸回りの回動、横断方向軸回りの回動、並びに前記延長方向軸および横断方向軸によって定められる平面に対して略垂直な下方への並進運動を含む数度の自由度をもって持ち手に対して可動となるようになされた取付構造によって、上記刃アッセンブリーが上記持ち手に対して取り付けられた安全かみそりが提供される。
独立ばね懸架機構によって可能となる付加的な動きの自由度が、ひげ剃りがなされる肌領域の輪郭に対する刃アッセンブリーのより密接な追従を可能とする。特に、延長方向の回動軸および横断方向の回動軸は、予め定められた位置に固定されておらず、これらは独立したばね懸架機構のおかげで可変的に位置決めされている。刃アッセンブリーが１又は２以上の延長刃を結合させている場合は、延長方向および後方へ刃アッセンブリーの動きは望ましくないが、上記懸架機構を採用することで、これらの方向の並進運動に対して刃アッセンブリーを堅く保持することができる。
設けられるばね懸架機構の正確な数は重要ではない。２つの分離した支持位置が互いに刃アッセンブリーの延長方向に離され、もう１つの分離した支持位置が、前記２つの分離した支持位置同士をつなぐ軸線から横断方向に離されているように懸架装置が配置されていることが好ましい。有利には、４つのばね懸架装置が、互いに相対した組に分けて、例えば刃アッセンブリーにおけるフレームの各角部の近傍に配置されている。懸架装置は、一体成型プラスティックばね、弓形ばねまたは捻りばねのような複数のばねを有していてもよく、或いは複数の支柱とこれらの支柱と関連した圧縮コイルばねとを備えていてもよい。
本発明は、半永久的に取り付けられた刃アッセンブリーを有するかみそり、および交換可能なカートリッジの形態の刃アッセンブリーを伴ったかみそりに適用可能である。後者の場合、懸架装置は、カートリッジと結合され持ち手に対して分離可能に連結されていてよく、或いは、懸架装置は、持ち手に対して固定されると共に、いずれかがカートリッジに対して直接分離可能に連結され、またはカートリッジを（例えば、それ自体は公知方法のスライド式連結によって）解放可能に係止するカートリッジ支持部材に対して連結されていてもよい。
以下、本発明の個々の実施形態が、下記の添付図面を参照して記述されている。
図１は、本発明の第１実施形態を斜視図で示すものであり、
図２は、本発明の第２実施形態におけるひげ剃りカートリッジの底面側斜視図であり、
図３は、図２に示すカートリッジを拡大して側面から示すものであり、
図４は、本発明の第３実施形態の斜視図である。
図１は、本発明による独立懸架装置を備えたかみそりの上方部分を示している。かみそりの持ち手において、手で握るための下方部分は、本発明の概念にとって重要ではないので省略され、その上方部分１のみが示されている。この持ち手部に搭載されているのが、矩形フレーム６を有するカートリッジ２である。このカートリッジ２の中において、縦方向に並び互いに平行な縁部を有する一組の延長刃３が、それぞれガード部４とキャップ面５との間に取り付けられている。
上記刃は、カートリッジのフレーム中に固着されていても良く、或いは（例えば、公知技術のように戻りばね要素の復元力に抗して下方に）可動となっていてもよい。
カートリッジ２は、上方持ち手部分１に対して４つの独立懸架装置によって連結されている。これらの独立懸架装置は、それぞれ、カートリッジフレームの角部に隣接する形で、カートリッジに対して連結されている。各懸架装置は、コイル部９とコイルから互いに鋭角をなして延びる２つの腕部１０,１１とを有する捻りばね８を備えている。これらの腕部１０,１１の自由端部は各々、カートリッジの延長方向の軸回りに回動できるように、持ち手およびカートリッジに対して連結されている。有利には、内側に折り曲げられた腕部分が、上方持ち手部およびカートリッジの両端部に形成された穴の内部に回動可能に挿入されている。懸架ばね８が（カートリッジが持ち手に対して図１に示す位置関係にあるような休止位置へカートリッジを付勢している。カートリッジが４つの離れた位置で独立的かつ弾性的に支持されていることによって、カートリッジの持ち手に対する動きに数度の自由度が与えられている。特に、カートリッジは、使用時にカートリッジに作用する力の下で、
a）矢印１２で示されるような、下方への並進運動、
b）カートリッジ延長方向に延びる軸回りの有効な回動につながるような、カートリッジの前部または後部の下方移動、および、
c）横断方向軸回りの有効な傾斜につながるような、カートリッジの一端部の下方移動
によって、休止位置から可動となっている。
もちろん、これらの動きは明確なものである必要はなく、また、これらの動きは、（ひげ剃り中に上記ガード部およびキャップ面が通過する）肌領域の輪郭に対して、ガード部およびキャップ面を密接に追従させるように、いかなる組合せの形でも生じうる。カートリッジは、持ち手に対して固定され予め決められた延長方向および横断方向の軸回りに回動するようにはされていないが、懸架ばねが、回動軸の有効な位置が変化可能となるようなカートリッジの浮動を許容している。この許容される動きの大きさは、それほど大きいものである必要はない。
捻りばね８によってカートリッジが動きに対して堅く保持された１つの方向は、カートリッジの延長方向、すなわち刃の縁部に平行な方向である。また、下方へ延びる軸回りの有効な回動ないし揺動につながるようなカートリッジの一端部の後方移動に対してと同様、矢印１３で示された後方への並進運動に対しても抵抗が生ずる。
図２および図３に示された第２の実施形態においては、独立懸架装置は、一組ずつが相対して配置された計４つの弓形ばね２８を備えている。カートリッジ２２は、この場合、刃保持部３３に保持された３つの刃３を伴うフレーム６を有している。この刃保持部３３は、フレーム端部壁のスロット内で可動となるよう案内されると共に、ばね２８によって上方へ付勢されている。各弓形ばね２８の上方腕部３１は、クランプ３４によってカートリッジフレームに対して堅く連結保持されたＬ字形自由端部を有している。図２に良く示されるように、フレームの前部および後部要素は、弓形ばねの上方腕部３１が自由に通過できるような切欠部を備えている。弓形ばねの下方腕部３０の自由端部は、ひげ剃りの持ち手に対する連結のための取付部分をなしている。この連結は例えば、取り付けられた懸架ばねごとカートリッジを容易に交換できるような、取外し自在のクランプ機構によってなされる。
複数の弓形ばねは、カートリッジの端部よりも中央部に近い位置に配置されているが、実質的には、持ち手に対するカートリッジの動きに関して、第１の実施形態との関係で上述したのと同様の自由度を与えている、ということが理解されよう。特に、上記並進運動および回動運動（a）〜（c）が許容されている。
図４に、本発明の一実施形態が示されている。この実施形態においては、持ち手の上方部分５１が４つの支持ブロック６４を含み、これらの支持ブロック６４は軸ピン６５を回動自在に受け入れる延長方向孔を有している。軸ピン６５は拡大頭部６６を有し、この拡大頭部６６の外側端部に横断方向の貫通孔６７が形成されている。これらの貫通孔６７内に、ほぼ直立した支柱６８が摺動自在に案内されている。支柱６８は、その上端部付近にフランジ部６９を有し、このフランジ部６９が、コイルばね７０の上端部に対するストッパとして作用している。コイルばね７０は、支柱６８に対して同軸に取り付けられると共に、その下端部が軸ピンに対して当接している。従って、ばね７０は、支柱６８を休止位置に向かって上方へ付勢している。この休止位置においては、支柱６８の下端部に設けられた拡大部ないしストッパ要素（図示せず）が軸ピンの拡大頭部６６に対して当接している。各支柱６８の上端部は、刃アッセンブリーないしカートリッジ５２のフレーム５６に対して回動可能かつ旋回自在に連結されている。刃アッセンブリーのフレームのみが図４に示されているが、上記実施形態と同様、ガード部およびキャップ面だけでなく少なくとも一枚の延長刃も含まれるということが理解されよう。有利には、各支柱６８は、その上端部に締結された、例えばボール部のような要素を有し、この要素が、カートリッジフレームの隣接する端部から内側へ延びる補助的なスロット部７２に受け入れられる。延長方向に並んだ少なくとも一組の、できれば二組の軸ピン６５が、その内側端部にキー結合された還付部材７５を有している。そして、比較的強力な引っ張りばね７６が、これらの環付部材７５と、持ち手の上方部分５１に固定されたばね支持部７７との間に掛け渡されている。このことにより引っ張りばね７６が軸ピン６５を、支柱６８をほぼ直立させるような図示の回動位置へ付勢するようになっている。
図４に示すかみそりの独立ばね懸架装置によって、カートリッジ５２が、ばね７０,７６の力によって付勢された休止位置から、図１を参照して説明した動き（a）〜（c）の自由度と同様の自由度をもって動けるようにすることができる。カートリッジの各角部の下方移動は、ばね７０およびこれに関連して摺動自在に案内され各角部の近傍に配置された支柱６８によって許容されている。引っ張りばね７６の付勢力に抗した軸ピン６５の軸線回りの回動によって、支柱６８の僅かな角度の揺動が許容されている。この支柱６８の揺動は、カートリッジの延長方向軸回りの回動を許すために必要なものである。ばね７６は、ひげ剃り中に通常作用する程度の力の下でカートリッジの後方移動に対抗できる程度の強さを有している。カートリッジの延長方向の動きは、カートリッジフレームと支柱との間の接触によって防止されている。
図示されたかみそりは本発明の例示された実施形態であって、ひげ剃り中に肌の輪郭に密接に追従できるようなカートリッジの数度の動きの自由度を提供できるような、他の独立懸架機構も可能である。本発明の概念および範囲内において修正や変更が可能であることは明らかではあるが、しかしながら、添付した請求の範囲によってのみ限定されるというのが我々の意図である。
【図１】
0003980060.tif 000002
【図２】
0003980060.tif 000003
【図３】
0003980060.tif 000004
【図４】
0003980060.tif 000005